(57)【要約】      （修正有）【課題】車両の動作パラメータに基づいて計器を示すグラフィカル・ユーザ・インターフェース（ＧＵＩ）を介して範囲を提示するためのシステム及び方法を提供する。【解決手段】車両２７０の動作パラメータに基づいて計器を示すグラフィカル・ユーザ・インターフェース（ＧＵＩ）を介して動的範囲を提示するためのシステム２００は、車両の速度を受信するための速度受信器２１０と、速度に関連する動作パラメータに基づいて範囲を取得するための設定取得器２２０と、当該範囲をＧＵＩに通信するためのディスプレイドライバ２３０と、を有する。【選択図】図２
2016027972.tif 000002
【特許請求の範囲】
【請求項１】
車両の動作パラメータに基づいて計器を示すグラフィカル・ユーザ・インターフェース（ＧＵＩ）を介して範囲を提示するためのシステムであって、
前記範囲を提示するためのプログラム命令を格納するコンピュータ可読媒体を含むデータ記憶装置と、
前記プログラム命令を実行するプロセッサと、
前記車両の速度を受信するための速度受信器と、
前記速度に関連する前記動作パラメータに基づいて前記範囲を取得するための設定取得器と、
前記範囲を前記ＧＵＩに通信するためのディスプレイドライバと、
を有することを特徴とするシステム。
【請求項２】
前記動作パラメータは、前記車両の速度に直接的に関連する請求項１記載のシステム。
【請求項３】
前記動作パラメータは、前記速度の変化により計算される加速度に基づいて前記車両の速度に関連する請求項１記載のシステム。
【請求項４】
前記動作パラメータは、関与するオプションに基づいて前記車両の速度に関連する請求項１記載のシステム。
【請求項５】
前記オプションは、走行制御機能である請求項４記載のシステム。
【請求項６】
前記範囲は、予め定められた時間が経過した後、デフォルト範囲に復帰する請求項１記載のシステム。
【請求項７】
前記設定取得器は、探索テーブルから前記範囲を取得し、前記探索テーブルは、前記システムの実施者により構成される請求項１記載のシステム。
【請求項８】
前記設定取得器は、探索テーブルから前記範囲を取得し、前記探索テーブルは、前記システムの使用者により構成される請求項１記載のシステム。
【請求項９】
車両の動作パラメータに基づいて計器を示すグラフィカル・ユーザ・インターフェース（ＧＵＩ）を介して範囲を提示するためのプロセッサにより実行される方法であって、
前記車両の速度を受信する工程と、
前記速度に関連する前記動作パラメータに基づいて前記範囲を取得する工程と、
前記範囲を前記ＧＵＩに通信する工程と、を有し、
前記受信する工程、前記取得する工程、又は前記通信する工程のうちの１つは、前記プロセッサにより実行されることを特徴とする方法。
【請求項１０】
前記動作パラメータは、前記車両の速度に直接的に関連する請求項９記載の方法。
【請求項１１】
前記動作パラメータは、前記速度の変化により計算される加速度に基づいて前記車両の速度に関連する請求項９記載の方法。
【請求項１２】
前記動作パラメータは、関与するオプションに基づいて前記車両の速度に関連する請求項９記載の方法。
【請求項１３】
前記オプションは、走行制御機能である請求項１２記載の方法。
【請求項１４】
前記範囲は、予め定められた時間が経過した後、デフォルト範囲に復帰する請求項９記載の方法。
【請求項１５】
前記取得する工程は、探索テーブルから前記範囲を取得する工程をさらに含み、前記探索テーブルは、前記システムの実施者により構成される請求項９記載の方法。
【請求項１６】
前記取得する工程は、探索テーブルから前記範囲を取得する工程をさらに含み、前記探索テーブルは、前記システムの使用者により構成される請求項９記載の方法。
【請求項１７】
デジタル速度計であって、
前記速度計上で表示される範囲を決定するためのシステムに対するインターフェースと、
前記速度計による前記車両の速度を表示するためのグラフィカル・ユーザ・インターフェース（ＧＵＩ）と、を有し、
前記速度の変化に応答して、前記インターフェースは、更新された範囲を受信することを特徴とするデジタル速度計。
【請求項１８】
前記インターフェースは、新規に検出された速度に基づいて更新される範囲を受信する請求項１７記載のデジタル速度計。
【請求項１９】
前記インターフェースは、前記車両の速度に基づく加速度に基づいて更新される範囲を受信する請求項１７記載のデジタル速度計。
【請求項２０】
前記ＧＵＩは、予め定められた時間が経過した後、元の表示に復帰する請求項１７記載のデジタル速度計。
【発明の詳細な説明】
【技術分野】
【０００１】
本発明は、車両の動作パラメータに基づいて計器を示すグラフィカル・ユーザ・インターフェース（“graphical user interface”）（以下「ＧＵＩ」）を介して範囲を提示するためのシステム及び方法に関する。
【背景技術】
【０００２】
機械の現時点状態に関する情報は、ディスプレイを介して表示される。例えば、センサが車両の速度を検知し、ディスプレイを介して速度を表示する。ディスプレイは、車両の様々な箇所（例えば、運転席、ダッシュボード、又はヘッドアップディスプレイ（“heads-up display”）（以下「ＨＵＤ」）に配置される。
従来は、計器は静的に提示された。計器は、しばしば、様々な速度区分を示す彩色済み数値、ハッシュマーク、ポインタ装置、及び、このポインタ装置に取り付けられたステッパモータを含む。ステッパモータは、車両の速度をリアルタイムで表示するユニットを介して制御される。このように車両の速度は、最も近い速度表示を指すポインタを介してリアルタイムで計器に変換される。
【０００３】
図１Ａ〜図１Ｃは、従来の形態による速度計器１００の様々な例を示す。速度計器１００は、様々な速度区分１１０と、図１Ａ及び図１Ｂに示すポインタ１２０と、図１Ａに示す速度コントローラ／センサ１４０に取り付けられたステッパモータ１３０とを含む。上述したように、速度コントローラ１４０は、速度の表示を車両（図示せず）から、又は車両コンピューティングネットワーク（図示せず）から検出又は受信する。コントローラ１４０がステッパモータ１３０を制御し、ポインタ１２０が、対応する速度区分１１０に移行する。従来の速度計器１００は、表示が静的である。
【０００４】
図１Ｂは、線形の計器１００を示す。なお、線形の計器１００は、デジタル様式で表示される場合もあり、アナログ様式で表示される場合もある。
【０００５】
図１Ｃでは、計器１００の代わりに数値で示されている。基本的には、数値のデジタル表示は、車両の運転者又は操縦者に提示される。デジタル表示形態では、特定速度が図示される。したがって、速度の範囲は、車両の運転者又は操縦者に対して視覚的に提供されない。
【発明の概要】
【発明が解決しようとする課題】
【０００６】
車両の動作パラメータに基づいて計器を表示するグラフィカル・ユーザ・インターフェース（ＧＵＩ）を介して範囲を提示するためのシステム及び方法を提供する。このシステムは、車両の速度を受信するための速度受信器と、速度に関連する動作パラメータに基づいて範囲を取得するための設定取得器（setting retriever）と、当該範囲をＧＵＩに通信するためのディスプレイドライバと、を含む。
【０００７】
詳細な説明は、以下の図面を参照し、これらの図面では、同一部分については、同一の符号を付す。
【図面の簡単な説明】
【０００８】
【図１Ａ】従来の形態による速度計器の例を示す。
【図１Ｂ】従来の形態による速度計器の例を示す。
【図１Ｃ】従来の形態による速度計器の例を示す。
【図２】車両の動作パラメータに基づいて計器を示すグラフィカル・ユーザ・インターフェース（ＧＵＩ）を介して動的範囲を提示するためのシステムの例を示す。
【図３】図２に示すシステムの形態による探索テーブルの例を示す。
【図４】車両の動作パラメータに基づいて計器を表示するグラフィカル・ユーザ・インターフェース（ＧＵＩ）を介して動的範囲を提示するための方法の例を示す。
【図５Ａ】図２に示すシステム又は図４に示す方法の実施例である。
【図５Ｂ】図２に示すシステム又は図４に示す方法の実施例である。
【発明を実施するための形態】
【０００９】
以下、本発明の実施形態について、添付図面を参照して、詳細に説明する。なお、これらので図面では、本発明の代表的な実施形態を示す。一方、本発明は、多くの異なる形態で具体化されるものであり、本明細書で説明される実施形態に限定されるものとして解釈してはならない。むしろ、これらの代表的な実施形態は、本発明が詳細に説明されるよう提供され、本発明の範囲を当業者に十分に伝達するものである。本発明の目的に関して、例えば「Ｘ、Ｙ、及びＺのうちの少なくとも１つ」は、Ｘのみ、Ｙのみ、Ｚのみ、又はＸ、Ｙ、並びにＺの２つ又は３つ項目のあらゆる組み合わせを意味するもの（例えば、ＸＹＺ、ＸＺ、ＹＺ、Ｘ）と解釈されるであろう。これらの図面及び詳細な説明により、特別な記載がない限り、同一の符号は、同一の要素、特徴、及び構造を示すものとする。これらの要素の相対的な寸法や形態は、簡略化、例示、及び便宜のために拡大される場合もある。
【００１０】
車両の操縦者又は運転者に情報を提供することにより、操縦者又は運転者は、より確実な様式で車両と相互作用することが可能となる。例えば、情報が速度（上述した速度計器１００を介して提供される情報など）である場合、操縦者又は車両は現行速度を認識し、それに応じて自分の運転を調節することができる。
【００１１】
例えば、車両の操縦者又は運転者が予め定められた速度制限を有するエリア内にいる場合、操縦者又は運転者は、予め定められた速度制限の範囲内又は範囲未満に車両の速度を確保する。
【００１２】
しかしながら、従来の速度計器では、例えば、上述した図１Ａ及び図１Ｂに示すように、速度範囲の全体を示すため、操縦者又は運転者は、特定速度で車両を操縦することが困難であると気付く。例えば、操縦者が車両の速度を時速１５マイル（ｍｐｈ）に保持又は維持しようとするとき、１５ｍｐｈ付近の速度区分が速度計器全体のうちのわずかなパーセンテージ又は部分しか占めないという事実により、このような課題は困難なものとなる。
【００１３】
他の状況では、車両が加速状態にあるときは、より大きい範囲が望ましい場合もある。一方、加速が緩やかで比較的小さい（例えば、１５ｍｐｈ〜２０ｍｐｈの増分）ときには、より小さい範囲が望ましい場合もある。いずれの場合にせよ、静的範囲が保持される限り、各モードの加速は困難となる。
【００１４】
本明細書では、車両の動作パラメータに基づいて計器を示すグラフィカル・ユーザ・インターフェース（ＧＵＩ）を介して動的範囲を提示するための方法及びシステムを開示する。一実施形態では、動的範囲は速度計のデジタルディスプレイにより提示される。一実施形態では、動作パラメータが車両の現時点速度である。他の実施形態では、動作パラメータは検出された加速度である。
【００１５】
このように、本明細書で開示される形態を用いることにより、範囲は提示され、車両の動作に基づいて動的に変化される。したがって、特定的な場合では、操縦者又は運転者は、より安全且つ効果的な様式で車両を操縦することが可能となる。しばしば、燃料効率は、車両の運転者が特定の速度又は比較的一定の速度を維持することにより支援される。したがって、特定の速度又は動作において読み取りがより容易である範囲を有することにより、車両の操縦者は速度の維持を支援することができる。
【００１６】
図２は、車両２７０の動作パラメータに基づいて計器を示すグラフィカル・ユーザ・インターフェース（ＧＵＩ）を介して動的範囲を提示するためのシステム２００の例を示す。システム２００は、速度受信器２１０、設定取得器（setting retriever）２２０、及びディスプレイドライバ２３０を含む。
【００１７】
システム２００は、車両２７０内に配置された有線ネットワーク又は無線ネットワーク２５０を介して既存のディスプレイ２６０と通信する。ディスプレイ２６０は、計器（例えば、速度計計器）であり、様々なディスプレイ形態により表示される。図に示すように、ディスプレイ２６０は、放射状ディスプレイ２６１又は線形ディスプレイ２６２を介して表示される。ディスプレイ２６１及びディスプレイ２６２では、ディスプレイ上の区分に関連する範囲及び数値は、以下に説明する動作に基づいて変更及び更新される。
【００１８】
システム２００は、ディスプレイ技術の制御を強化するために車両内に搭載されたコンピュータプロセッサ又は任意の集積回路（例えば、不揮発性メモリ、フィールド・プログラマブル・ゲートアレイ等）を介して実施される。システム２００は、様々な車両インターフェース及び動作を制御及びインターフェース接続するために車両内に配置及びインストールされた既存のプロセッサ又はコンピュータネットワークにインストールされる。
【００１９】
速度受信器２１０は、現時点速度の指示を受信する。速度受信器２１０は、車両２７０のセンサ２７１からの通信をネットワーク２５０を介して受信するよう構成される。受信された速度２１０は、センサ２７１と常時通信する状態にあり、速度更新はリアルタイムで受信される。変形例として、予め定められた時間がシステム２００の実施者により設定されてもよい。他の実施形態では、速度受信器２１０は、前回受信した速度に対する速度増分又は速度変化が、予め定められた閾値を越えた場合にセンサ２７１による速度測定値を受信するように構成されてもよい。
【００２０】
他の実施形態では、速度受信器２１０は車両２７０の現時点の状態を受信するように構成されてもよい。例えば、アクセルペダルを踏み込むことにより、車両２７０が加速状態にある場合、又はブレーキペダルを踏み込むことにより、車両２７０が減速状態にある場合には、このような車両の状態を速度受信器２１０が認知する。
【００２１】
設定取得器２２０は、持続性の記憶装置２０５から設定を取得する。この記憶装置２０５については、システム２００のインストール者又は実施者により提供される。代替的又は追加的に、このような設定は、車両２７０の運転者又は操縦者により行われてもよい。
【００２２】
図３は、探索テーブル２０６の例を示す。探索テーブル２０６は、様々な検出された速度又は加速度と、対応する範囲２２１と、を含む。範囲２２１は、取得され、例えばレジスタ又はメモリスロットに一時的に格納される。図３に示す例は、単なる例示であり、様々な組み合わせの速度及び範囲が使用及び実施される。
【００２３】
図３を参照すると、探索テーブル２０６の例が図示される。探索テーブル２０６の内容及びフィールドは、システム２００による処理が可能な任意の形態である。図３の探索テーブル２０６は、いくつかのフィールドを含む。これらのフィールドは、様々な組み合わせ及び構成で選択的に組み込まれる。探索テーブル２０６は、速度フィールド３１０、加速度フィールド３２０、範囲フィールド３３０、時間フィールド３４０、及び走行制御フィールド３５０を含む。
【００２４】
速度フィールド３１０は、車両２７０が動作する速度に対応する。したがって、速度がフィールド３１０のエントリーに合致した場合、速度フィールド３１０に対応する範囲フィールド３３０が選択される。加速度フィールド３２０は、速度フィールド３１０と同様であるが、車両２７０の現時点の加速度が観察される。
【００２５】
対応する選択された範囲フィールド３３０に関連する範囲が予め定められた特定時間に亘って提示されることを示すために、時間フィールド３４０が追加されてもよい。したがって、表示された以前の範囲が再び表示される。
【００２６】
走行制御フィールド３５０は、走行制御（又は他の例では、車両の操縦に関連する他のオプション）が主張されるかどうかを示す。したがって、提示される範囲２２１は、主張又は関与する走行制御（又は他のオプション）に左右される場合がある。
【００２７】
他の例では、図示しないが、探索テーブル２０６の１つのフィールドが、車両２７０の現時点状態に対応する場合がある。例えば、車両２７０の状態が、アクセルペダルを踏み込むことにより、特定の閾値を越える加速の状態にあることが検出された場合、提示される範囲２２１は拡張され、特定の量（例えば０〜１００ｍｐｈ）であることが示される。したがって、範囲２２１は、予め定められた閾値を越える加速状態又は減速状態が検出されたかどうかに基づいて、動的に提示される。
【００２８】
ディスプレイドライバ２３０は、ネットワーク２５０を介して範囲２２１を、実施されるディスプレイに伝達する。ディスプレイドライバ２２１は、範囲２２１の特定値を伝達し、又は、代替的に新規範囲のＧＵＩに関連するデータファイルを伝達する。
【００２９】
範囲２２１は、ディスプレイ２６０を介して表示される。したがって、車両２７０の現時点の作動及び速度に対応するインストール又は実行される範囲２２１が表示される。
【００３０】
図４は、車両の動作パラメータに基づいて計器を示すグラフィカル・ユーザ・インターフェース（ＧＵＩ）を介して動的範囲を提示するための方法４００を示す。方法４００は、非一時的なコンピュータ可読媒体を介して、又は代替的にプロセッサにより、実行される。
【００３１】
動作４１０では、車両の現時点の速度が受信される。要素２１０と同様に、受信される速度は、リアルタイムであってもよく、又は、予め定められた間隔若しくは加速度であってもよい。
【００３２】
動作４２０では、受信された速度又は速度変化に関連する範囲が取得又は計算される。一例（動作４２１）では、現時点の速度が特定範囲に変換される。例えば、１５ｍｐｈ以下の速度制限が義務付けられた状況下で速度が１０〜１５ｍｈｐである場合、車両の操縦者又は運転者は、より小さい速度範囲が拡大表示されることにより、支援される。
【００３３】
他の例（動作４２２）では、検出される加速度により、表示される範囲が指示される。例えば、車両が高速道路又は同様の環境上にあることを示す加速度で車両が加速していることが検出された場合、範囲が、より大きく且つ粒度が小さい量が示されるよう拡大される。他の例では、範囲が、計算された加速度に基づいてアルゴリズムを介して計算される。
【００３４】
動作４２１，４２２については、個別的に行われてもよく、或いは、変形例として両方が同時に行われてもよい。
【００３５】
動作４３０では、新規の範囲が車両のディスプレイに伝達又は通信される。動作４３０の後、方法４００は、動作４１０に戻り、車両の動作を介して検出される新規速度を受信することを待機する。
【００３６】
図５Ａ及び図５Ｂは、システム２００又は方法４００の実施例を示す。
【００３７】
図５Ａでは、車両２７０が停車状態にある。したがって、示される速度は０ｍｐｈである。この例では、システム２００が探索テーブル２０６（図３参照）とインターフェース接続された後、取得される範囲２２１は正常である。ディスプレイ２６０を大写しして見ると、範囲全域が示されている。
【００３８】
図５Ｂでは、車両２７０は稼働状態にあり、１５ｍｐｈで走行する。本明細書で開示される態様を使用すると、システム２００は探索テーブル２０６を介して範囲２２１を取得する。つぎに、範囲２２１は、ディスプレイ２６０に通信され、ディスプレイ２６０は１０〜２０ｍｐｈの範囲を表示する。図５Ａ及び図５Ｂの双方では、同一のディスプレイ２６０が使用されるが、速度区分は探索テーブル２０６に格納される構成に基づいて調節される。
【００３９】
本発明の趣旨及び範囲から逸脱することなく、様々な修正例及び変形例が可能であることが当業者には明らかである。したがって、本発明は、添付の請求項及び均等物の範囲に含まれる限り、本発明の修正例及び変化例を含むことが意図される。
【図１Ａ】
2016027972.tif 000003
【図１Ｂ】
2016027972.tif 000004
【図１Ｃ】
2016027972.tif 000005
【図２】
2016027972.tif 000006
【図３】
2016027972.tif 000007
【図４】
2016027972.tif 000008
【図５Ａ】
2016027972.tif 000009
【図５Ｂ】
2016027972.tif 000010